(57)【特許請求の範囲】
【請求項１】
電気集塵機に配設される集塵極に生じた湾曲部と前記湾曲部の突出側に隣り合う集塵極とで形成される空間に矯正部材を吊り下げて、前記矯正部材の両端部から押圧具を集塵極の垂直方向に伸縮させて前記湾曲部を突出側から押圧するとともに、前記隣り合う集塵極と該集塵極に隣り合う集塵極との間に他の矯正部材を吊り下げて、該矯正部材の押圧具が前記隣り合う集塵極の背後を押圧することによって、前記湾曲部を矯正することを特徴とする湾曲部矯正方法。
【発明の詳細な説明】
【０００１】
【発明の属する技術分野】
本発明は、電気集塵機に配設される集塵極に生じる湾曲部を矯正する方法に関する。
【０００２】
【従来の技術】
一般に、 各種工場の機械装置や動力プラントには、 これらの設備から発生する粉塵による大気汚染を防止するために、 集塵機が設置される。 集塵機は、気体中に浮遊する粉塵を除去するものであり、気体の体積膨張を利用する集塵機（いわゆるダストチャンバー），遠心力を利用する集塵機（いわゆるサイクロン集塵機），フィルターを利用する集塵機（いわゆる濾過集塵機）あるいは電気的なクーロン力を利用する集塵機（いわゆる電気集塵機）等が広く使用されている。
【０００３】
電気集塵機は放電極と集塵極を有しており、 集塵極は電気集塵機本体を介してアースに接続され、放電極は電気集塵機本体から電気的に絶縁される。 こうして放電極に電圧を印加してコロナ放電を起こし、粉塵を負イオンに帯電させてクーロン力によって集塵極に吸着させる。
たとえば銅製錬で用いる自溶炉や転炉の副生ガス中に含まれるＳＯ2 を硫酸として回収する硫酸製造工場の排ガス精製工程における排ガスのように、霧状の水分（いわゆるミスト）や粉塵が浮遊する気体から粉塵を除去するために電気集塵機を用いると、集塵極には粉塵のみならずミストも吸着される。しかもそのミストが腐食性の成分を含有するので、電気集塵機の集塵極には耐食性が要求される。
【０００４】
そこで電気集塵機を用いてミストを含む気体中の粉塵を除去する場合や、あるいは、ミストや粉塵に加えてＳＯ2 等の腐食性の成分を含有する気体中の粉塵を除去する場合には、 集塵極の材質として耐食性材料である鉛あるいは鉛合金を使用する。ところが鉛や鉛合金は変形抵抗が小さいので、鉛製の集塵極を長時間を使用すると、集塵極が変形して湾曲する。集塵極が湾曲すると放電極との距離が短縮されるので、電気集塵機全体の荷電圧を下げざるを得なくなり、集塵効率が低下する。
【０００５】
集塵極の湾曲が大きくなると、集塵極と放電極が接触する危険性があるので、湾曲部の近辺の放電極を撤去して電気集塵機を稼動させる。しかし放電極を撤去すると、当然、放電極が減少するので集塵効率が低下する。
また、長尺ハンマーを用いて集塵極の湾曲部を叩き打って、湾曲を矯正する方法も一部で行なわれている。 通常の電気集塵機では互いに隣り合う集塵極の間隔が30cm程度であるため、矯正作業は困難で長時間を要し、その矯正作業を行なう期間中は電気集塵機を停止しなければならない。
【０００６】
しかも湾曲が生じる位置によっては長尺ハンマーを使用できないので、長尺ハンマーによる矯正は不可能である。このような位置に生じた湾曲部の矯正を行なうときには電気集塵機の側壁や天井を切開して矯正（あるいは取替え）を行なうことになり、電気集塵機の停止期間が一層延長される。
このように、湾曲部の矯正を行なうときは並列に設置された複数の電気集塵機のうち、該当する電気集塵機の前後のダンパーを閉めて停止しなければならないので、その電気集塵機が設置されている機械装置や動力プラント等の操業に支障をきたす。
【０００７】
【発明が解決しようとする課題】
本発明は上記のような問題を解決し、電気集塵機に配設される集塵極に生じる湾曲部を矯正するにあたって、簡便な手段で、しかも湾曲部の位置に関わらず短時間で矯正を行なうことが可能な矯正方法を提供することを目的とする。
【０００８】
【課題を解決するための手段】
本発明は、電気集塵機に配設される集塵極に生じた湾曲部と湾曲部の突出側に隣り合う集塵極とで形成される空間に矯正部材を吊り下げて、矯正部材の両端部から押圧具を集塵極の垂直方向に伸縮させて湾曲部を突出側から押圧するとともに、隣り合う集塵極とその集塵極に隣り合う集塵極との間に他の矯正部材を吊り下げて、矯正部材の押圧具が隣り合う集塵極の背後を押圧することによって湾曲部を矯正する湾曲部矯正方法である。
【０００９】
【発明の実施の形態】
図１は、本発明を適用する矯正部材１を、集塵極4aに生じた湾曲部５と、その湾曲部５の突出側に隣り合う集塵極4bとで形成される空間に吊り下げた状態の例を模式的に示す縦断面図である。
矯正部材１には油圧装置（図示せず）が内蔵されており、その油圧装置によって矯正部材１の両端部から押圧具２が伸縮される。押圧具２の先端の面積が小さいと、湾曲部５が局部的にへこむだけなので、湾曲部５全体を矯正するためには、押圧具２の両端の面積は 100〜2500cm2 であることが好ましい。
【００１０】
図１に示すように、 集塵極4aに生じた湾曲部５と、その湾曲部５の突出側に隣り合う集塵極4bとで形成される空間に矯正部材１を吊り下げるときは、押圧具２は収縮した状態で矯正部材１内に収納される。
図１中のＡ−Ａ矢視の横断面図を図２に示す。本発明では矯正部材１を上方から吊り下げるので、図２に示すように、放電極６に干渉することなく矯正部材１を吊り下げる位置を調整できる。
【００１１】
矯正部材１を吊り下げる位置の高さ方向の調整は、吊り部材３の巻き上げ装置（図示せず）を用いて上昇あるいは下降させることによって行なう。 また水平方向の調整は、レバーブロックとワイヤーによって行なう。
矯正部材１を吊り下げる位置の調整が終了すると、図３に示すように、矯正部材１の両端部から押圧具２を、放電極4a，4bの垂直方向に伸長させる。  
【００１２】
本発明においては、吊り部材３およびその巻き上げ装置は特定の構成に限定せず、従来から知られている手段を使用できる。たとえば吊り部材３としてロープ，ワイヤ，チェーン等を使用し、 巻き上げ装置として滑車，ギア等を使用できる。
また水平方向の位置調整に用いる装置は、レバーブロック，滑車等の従来から知られている手段を使用できる。
【００１３】
その際、図３に示すように、矯正部材１を複数個並列して湾曲部５の矯正を行なう。 
つまり、集塵極4a，4bの間の矯正部材１の両端部から押圧具２を集塵極4a，4bの垂直方向に伸縮させて湾曲部５を突出側から押圧するとともに、集塵極4bに隣り合う集塵極4cとの間に矯正部材11を吊り下げて、その矯正部材11の押圧具が集塵極4bの背後を押圧することによって、湾曲部５を矯正する。集塵極4a，4bの材質は鉛であり、変形抵抗が小さいので、湾曲部５を突出側から押圧することによって矯正することは可能である。 
このようにして本発明を用いると、簡便な手段で集塵極4aの湾曲部５を矯正でき、湾曲部５の位置に関わらず矯正を行なうことが可能である。しかも湾曲部５を矯正するに要する所要時間を短縮できる。
【００１４】
ただし本発明では、湾曲部５を必ずしも平坦に矯正できない場合がある。その場合は、集塵極５の湾曲が進行すると、湾曲部５を適宜矯正する。このようにすると湾曲部５の矯正作業の頻度が増加するが、 本発明では簡便な手段でかつ短時間で矯正できるので、電気集塵機の稼動およびその電気集塵機が設置されている機械装置や動力プラント等の操業に支障は生じない。
【００１５】
【実施例】
自溶炉および転炉から発生する副生ガスを硫酸製造工場に導入してＳＯ2 を硫酸として回収する硫酸製造工場において、増湿塔および冷却塔にてガス冷却と洗浄を行なった排ガスからミストと粉塵を除去するにあたって３基の電気集塵機を並列に使用した。 ミストには希硫酸が含まれるため、集塵極4a，4bには耐酸材料である鉛を使用している。 この集塵極4a，4bは定期的に１基ずつ電気集塵機の前後のダンパーを閉めて、目視点検を行なった。
【００１６】
電気集塵機の稼動中に集塵極4aが湾曲すると、該当する電気集塵機の運転を停止し、図３に示すように、集塵極4aに生じた湾曲部５と、その湾曲部５の突出側に隣り合う集塵極4bとで形成される空間に矯正部材１を吊り下げた。また、集塵極4bと集塵極4cとで形成される空間にて矯正部材11を矯正部材１の背後に吊り下げた。なお、吊り部材３としてロープを用い、巻き上げ装置としてチェーンブロックを用いた。
次いで矯正部材１および矯正部材11に内蔵された油圧装置（図示せず）を用いて押圧具２を集塵極4a，4b，4cの垂直方向に伸長させて、湾曲部５の突出側から押圧して湾曲部５を矯正した。このようにして副生ガスからＳＯ2 を硫酸として回収しながら、自溶炉と硫酸製造工場を30日間操業した。これを発明例とする。なお押圧具２の形状は、集塵極4a，4b，4cに平行な断面を１辺30cmの正方形とした。
【００１７】
一方、比較例として、電気集塵機の稼動中に集塵極4aが湾曲すると、矯正部材を使用せず、天井を開放した後、外部に取り出してハンマーで湾曲部５を矯正した。このようにして副生ガスからＳＯ2 を硫酸として回収しながら自溶炉と硫酸製造工場を30日間操業した。
発明例と比較例について、湾曲部５の矯正作業のために電気集塵機の稼動を停止した時間を比べると、発明例の方が合計90％短縮された。
【００１８】
このようにして本発明では、湾曲部５の位置に関わらず、簡便な手段で、しかも短時間で湾曲部５を矯正できることが確かめられた。
【００１９】
【発明の効果】
本発明では、湾曲部の位置に関わらず、簡便な手段で、しかも短時間で集塵極の湾曲部を矯正できる。
【図面の簡単な説明】
【図１】  本発明を適用する矯正部材を吊り下げた状態の例を模式的に示す縦断面図である。
【図２】  図１中のＡ−Ａ矢視の横断面図である。
【図３】  本発明を適用して、湾曲部を矯正する例を模式的に示す縦断面図である。  
【符号の説明】
１  矯正部材
11  集塵極4b，4cの間の他の矯正部材
２  押圧具
３  吊り部材
4a  湾曲部を有する集塵極
4b  湾曲部の突出側に隣り合う集塵極
4c  集塵極4bに隣り合う集塵極
５  湾曲部
６  放電極
【図１】
0004688372.tif 000002
【図２】
0004688372.tif 000003
【図３】
0004688372.tif 000004